(57)【要約】【課題】本発明の目的は、コインの噛み込みを防止し、さらに、コインの噛み込みを生じないコインホッパを安価に提供することである。【解決手段】コインがスライドする上面を有するベースと、このベースの上方に近接配置され、かつ、通孔を有する回転ディスクの下面に前記通孔に相対して形成した押出突起を有する回転ディスクと、前記ベースに形成した円形溝と、前記円形溝に相対する前記押出突起から前記円形溝に突入する噛込防止片と、を有するコインホッパである。【選択図】        図４
2004213206.tif 000002
【特許請求の範囲】
【請求項１】
コイン(C)がスライドする上面を有するベース(3)と、
このベース(3)の上方に近接配置され、かつ、コイン(C)が通過する通孔(13)と前記通孔(13)に相対して下面に形成した押出突起(34,35)を有する回転ディスク(4)と、
前記ベース(3)に形成した円形溝(44,45)と、
前記円形溝(44,45)に相対する前記押出突起(34,35)から前記円形溝(44,45)に突入する噛込防止片(42,43)と、
を有するコインホッパ。
【請求項２】
前記噛込防止片(42,43)の前面(42A,43A)と前記押出突起(34,35)の押出面(34A,35A)は同一平面内に位置することを特徴とする請求項１記載のコインホッパ。
【請求項３】
前記ベース(3)が樹脂製であり、前記円形溝(44,45)が一体成型されることを特徴とする請求項１または２記載のコインホッパ。
【請求項４】
前記噛込防止片(42,43)の下端と前記円形溝(44,45)の底(44B,45B)との間隔(D1)よりも、前記ベース(3)の底部(11)と回転ディスク(4)の押出突起(34,35)の下面との間隔(D2)が大きいことを特徴とする請求項３のコインホッパ。
【発明の詳細な説明】
【０００１】
【発明が属する技術分野】
本発明は、ディスクを１個ずつ区分けして払い出すコインホッパに関する。
さらに詳しくは、コインがスライドするベースと回転ディスクの押出突起との間に、コインが食い込むことを防止出来るコインホッパに関する。
なお、本明細書で使用する「コイン」は、通貨であるコインの他、ゲーム機のメダルやトークン等の代用貨幣または類似のものを包含する。
【０００２】
【従来の技術】
コインホッパは、ＡＴＭ、自動販売機やゲーム機に内蔵される。
公知のコインホッパとして、実用新案登録第3042778号が知られている。
このコインホッパは、ベース(ローラー受け盤)と、コインの通孔と押出突起が形成され、かつ、ベースの上方に近接配置した回転ディスク(ローター)とを有している。
【０００３】
コインは、通孔を通ってベース上面に支えられつつ、押出突起に押されて回転ディスクと一体的に回動される。
この途上で、コインはベース上面に突出する規制ピン(接触子)により回転ディスクの周方向に案内されて払い出される。
【０００４】
ところで、ベースは板金や樹脂で成型されているが、コインがスライドする上面の平面度は、所定の許容範囲に収められている。
回転ディスクは、駆動手段の回転軸に固定されており、ベースに対する前記回転軸の直角度が所定の許容範囲になるよう取り付けられている。
また、回転ディスク裏面の押出突起は、下面がベースに接しないよう前記回転軸に対する直角度が所定の許容範囲になるよう取り付けられている。
【０００５】
結果として、上記許容範囲の最悪の組み合わせにおいて、ベース上面に支えられるコイン周面の上側の一部が、前記押出突起の下側の一部とオーバーラップするように設定されている。
したがって、通常コインは押出突起によって押されて連続的に払い出される。
【０００６】
これを図7を参照して説明する。
ベース101の上方に回転ディスク102が配置され、回転ディスク102の下面には押出突起103が形成されている。
この押出突起103の下面104は、ベース101に対し所定の間隔で配置されている。
【０００７】
コインCは、回転ディスク102の通孔105を通ってベース101の上面に支えられ、押出突起103の押出面106によって押されて移動する。
ところで、回転ディスク102は、一般的に焼結法や樹脂の射出成形法によって一体成形されるため、微視的に見た場合、押出突起103は台形状になっている。
【０００８】
すなわち、押出面106は、僅かに下向きの斜面になっている。
また、押出面106と下面104との接続部は弧状部107になっている。
一方、コインCを微視的に見れば、その周縁角部は弧状部CAになっている。
そして、前記許容範囲の組み合わせが最悪の場合、押出突起103の弧状部107でコインCの弧状部CAを押すケースがある。
【０００９】
この場合、コインCは弧状部107でベース101に押しつけられ、押出突起103は楔作用により、弧状部CAから押し上げ力を受ける。
結果として、押出突起103がコインC上に乗りあがり、回転ディスク102の回転が停止する「噛み込み現象」を生じることがある。
【００１０】
また、特公平5-22276号に開示のものが知られている。
このものは、コイン載置面及び押出突起を備えたローターと、コイン通孔を備えた回転ディスクとを固着手段で一体化したものである。
この構成において、コインは常に回転ディスクと一体に回転するコイン載置面に支えられているので、噛み込みを生じることがない。
【００１１】
【発明が解決しようとする課題】
前者の場合、噛み込み現象が発生した場合、回転ディスクの逆転機構によって回転ディスク102を逆転させる等して噛み込み現象の解消を図るのであるが、逆転によっても解消しないことがある。
このケースにおいて、回転ディスクが回転できないため、駆動系の損傷を防ぐため払出を停止する。
これにより、ゲーム機や両替機は作動停止になる。
【００１２】
後者にあっては、コイン載置面及び押出突起を備えたローターと、コイン通孔を備えた回転ディスクとを別体で製造し、固着手段で一体化するため、安価にするにも限界がある。
安価にするため、前記ローターと回転ディスクとを樹脂等で一体化することが考えられるが、形状が複雑であるため十分な強度を確保することが出来ず、破損しやすいという問題がある。
【００１３】
これらにより、噛み込み現象を生じないコインホッパを安価に提供することが強く要望されていた。
本発明の第１の目的は、コインの噛み込みを防止することである。
本発明の第２の目的は、コインの噛み込みを生じないコインホッパを安価に提供することである。
【００１４】
【課題を解決するための手段】
この目的を達成するため、本発明のディスクホッパは、以下のように構成されている。
コインがスライドする上面を有するベースと、このベースの上方に近接配置され、かつ、コインが通過する通孔と前記通孔に相対して下面に形成した押出突起を有する回転ディスクと、前記ベースに形成した円形溝と、前記円形溝に相対する前記押出突起から前記円形溝に突入する噛込防止片と、を有するコインホッパである。
【００１５】
この構成において、コインはベース上面に支えられつつ押出突起により押されて回転ディスクと一体的に移動する。
そして、この押されるコインは、規制ピンによって回動を阻止されると共に出口方向に案内されて払い出される。
このコインの移動プロセスにおいて、コインの周縁の弧状部は、押出突起によって押される。
【００１６】
押出突起に連なる噛込防止片は、円形溝内を移動している。
ベースと押出突起の下端との間隔が広がった場合、コインの弧状部を押す部位は、押出突起から噛込防止片に移り、押出突起の弧状部によって押されることがない。
【００１７】
コインは、噛込防止片によって継続して押されるので、ベースと押出突起下面との間に進入することはない。
すなわち、コインがベースと押出突起下面との間に噛み込まれることはない。また、ベースに円形溝を形成し、押出突起の下端から噛込防止片を突出させる構造なので、安価に製造できる。
【００１８】
本発明は、前記噛込防止片と前記押出突起のコインと接する面は同一平面内に位置することが好ましい。
この構成によれば、ベースと回転ディスクとの間隔が広がった場合、コインの周面は、押出突起に対し摺動し、噛込防止片と接触するようになる。
間隔が狭まった場合は、この逆になる。
この摺動の際、押出突起の押出面と噛込防止片の前面とは同一平面内に位置しているので、それらが圧接していても摺動がスムーズであり、コインの払い出しを円滑に行うことができる。
【００１９】
また、本発明は、前記ベースが樹脂製であり、前記円形溝が一体成型されることが好ましい。
この構成によれば、円形溝が樹脂によってベースと一体成形されるので、一工程で成形されるから、安価に製造するこことができる。
【００２０】
また本発明は、前記噛込防止片の下端と前記円形溝の底との間隔よりも、前記ベース上面と押出突起の下面との間隔が大きいことが好ましい。
この構成により、回転ディスクがコインの重み等で変形して噛込防止片の下端が円形溝の底に接触した場合、押出突起下面とベースとは接触しないため、接触面積は小さい。
したがって、回転ディスクの回転抵抗が小さいため、消費エネルギーが少ない。
【００２１】
【発明の実施の形態】
図１は、本発明の実施例のコインホッパーの斜視図である。
図２は、本発明の実施例のホッパボウルを取り除いた状態のベースと回転ディスクの正面図である。
図３は、本発明の実施例の図２におけるＡ―Ａ断面図である。
図４は、本発明の実施例の噛込防止片と円形溝との関係説明図である。
図５は、本発明の実施例の作用説明斜視図である。
図６は、本発明の実施例の作用説明図である。
【００２２】
ホッパー1はフレーム2、ベース3、回転ディスク4、回転ディスク4を回転する電気モーター5及び保留ボウル6を含んでいる。
フレーム2は箱型台形状であって、上面7が約30度傾斜している。
上面7に矩形平板状のベース3が固定されている。
したがって、ベースプレート3は約30度傾斜している。
このベース3に保留ボウル6の下端部が固定されている。
【００２３】
ベース3の中央に円形の装着穴9が形成され、その底部11はほぼ平面である。
その装着穴9に、中央に円錐形の突起12と、突起12の回りに等間隔で複数(図2から明らかなように7個)の通孔13を有する回転ディスク4が配置されている。
【００２４】
回転ディスク4の厚みは、装着穴9とほぼ同じである。
通孔13の上部(回転ディスク4の上面)は、通孔13の周囲にすり鉢形のテーパー部19を形成し、円板形のコインCが通孔13に落下し易いように形成してある。
【００２５】
図3に示すように、回転ディスク4の突起12の軸孔8に減速機17の出力軸18を挿入し、その軸孔8の周囲に配置したスプリング16と出力軸18にねじ込んだスクリュウ19のリテーナ20とにより構成した摩擦伝達装置21を介して出力軸18と回転ディスク4とを駆動接続してある。
出力軸18の軸孔8への挿入量は、出力軸18の直径よりも長く設定し、回転ディスク4の出力軸18に対する直角度が所定の範囲になるよう規制している。
【００２８】
減速機17はベース3の裏面に固定手段（図示せず）によって固定されている。
モーター5が減速機17に固定されている。
モーター5の回転は、減速機17、出力軸18及び摩擦伝達装置21を介して回転ディスク4に伝達される。
【００２８】
回転ディスク4の通孔13に落下したコインCは、ベース3の上面である底部11に支えられ、かつ、回転ディスク4の裏面に形成された押出突起34によって押され、回転ディスク4と共に回動され、所定の位置で底部11に突出する第一規制ピン31、及び第二規制ピン32により回転ディスク4の周方向にガイドされて投出口33から払い出される。
【００２９】
回転ディスク4の裏面には、ディスク押し出し用の第一押出突起34及び第二押出突起35が通孔13のそれぞれに相対して形成されている。
第一押出突起34の前面である第一押出面34Aと、第二押出突起35の第二押出面35Aは、回転ディスク4の回転軸心から延びるインボリュート曲線上に配置されている。
【００３０】
第一規制ピン31及び第二規制ピン32は、ベース3の裏面に固定した片持ち板バネ(図示せず)の先端部に固定されている。
規制ピン31の上端部は、回転ディスク4裏面の第一溝36内に位置している。
第二規制ピン32は、第二溝37内に位置している。
【００３１】
保留ボウル6の下端部は、装着穴9とほぼ同一径であって、斜め上方に向かって伸びており、その上端部は四角形状に拡大する貯留部が形成され、その上面はディスク投入開口23になっている。
装着穴9の一側壁に開口10が形成され、そこに第１ガイド24が配置されている。
第１ガイド24は、ベース3に固定された軸25に回転可能に支持された固定ローラ26である。
【００３２】
回転ディスク4及び第１ガイド24の側方に第２ガイド27が配置されている。
第２ガイド27は、ベース3の弧状長孔28を貫通するシャフト29に回転可能に取り付けた移動ローラ30である。
シャフト29は、ベース3の下方に配置され、軸36を中心に揺動可能なレバー37に固定されている。
【００３３】
レバー37は、ベース3に固定したピン(図示せず)との間に掛けられたスプリング(図示せず)によって、移動ローラ30が固定ローラ26に近づくよう付勢されている。
図2に図示するように、コインCが固定ローラ26と移動ローラ30との間に位置しないとき、レバー37の係止片がストッパ(図示せず)に係止される。
このとき、移動ローラ30は固定ローラ26からコインCの直径以下の距離離れた待機位置Sに保持される。
【００３４】
図２において鎖線で示すように、コインCの直径部が固定ローラ26と移動ローラ30との間に位置したとき、レバー37は時計方向に回動され、作用片38がセンサ39と相対する。
回転ディスク4の裏面の第一押出突起34の下面から下方に突出する第一の噛込防止片42が形成されている。
【００３５】
第二押出突起35の下面に下方に突出する第二噛込防止片43が形成されている。
第一噛込防止片42の第一前面42Aは、第一押出突起34の第一押出面34Aと段差無く同一平面内に形成されている。
第二噛込防止片43の第二前面43Aは、第二押出突起35の第二押出面35Aと段差無く同一平面内に形成されている。
【００３６】
この構成により、コインCが第一前面42Aと圧接しているときであっても、第一前面42Aと第一押出面34Aとの間をスムーズに移動できる利点がある。
第二前面43Aと第二押出面35Aとの間も同様である。
【００３７】
しかし、第一前面42A及び第二前面43Aは第一押出面34A、第二押出面35Aに対し傾斜を付ける等面一でなくともよい。
底部11に回転ディスク4の回転軸心を中心に第一円形溝44と第二円形溝45とが形成されている。
【００３８】
これら溝44及び45の幅は、コインCが嵌り込まないようコインCの直径よりも狭く形成されている。
また、溝44及び45の深さは、コインCがこれらに嵌って立たないよう、可及的に浅いことが好ましい。
【００３９】
コインCが立ったとしても、倒れやすいように溝の側壁は傾斜を付けてある。
すなわち、第一円形溝44と第二円形溝45の断面形状は、図4に示すように、下方に向けて先すぼまりになった台形状であることが好ましい。
このように、第一円形溝44及び第二円形溝45を断面台形状に形成することにより、離型が容易という利点もある。
【００４０】
第一円形溝44内に、第一噛込防止片42の先端が位置している。
第二円形溝45内に、第二噛込防止片43の先端が位置している。
回転ディスク4或いはベース3が変形した場合、第一噛込防止片42及び第二噛込防止片43の先端が第一円形溝44及び第二円形溝45から抜け出ないように、前記突入量が設定されている。
【００４１】
第一噛込防止片42の先端(下端)と第一円形溝44の第一底44B及び第二噛込防止片43の先端(下端)と第二円形溝45の第二底45Bとの間隔D1は、ベース3の上面である底部11と第一押出突起34の下面及び第二押出突起35の下面との間隔D2よりも小さく設定されている。
【００４２】
これにより、回転ディスク4あるいはベース3が変形した場合、第一噛込防止片42及び／又は第二噛込防止片43が対応する第一円形溝44の第一底44B或いは第二円形溝45の第二底45Bに接触し、第一押出突起34及び第二押出突起35はベース3の底部11に接触しない。
結果として、第一噛込防止片42及び／又は第二噛込防止片43とベース3との接触面積が小さいので、回転ディスク4の回転抵抗は小さい。
したがって、回転ディスク4を回転駆動する駆動エネルギーは減少する。
【００４３】
第一円形溝44及び第二円形溝45は、樹脂などでベース3と一体に成形することが好ましい。
この一体成形により、一工程で成形できるため、安価に製造できる。
しかし、ベース3を平板状に成形し、その後、第一円形溝44及び第二円形溝45を機械加工で形成することができる。
【００４４】
次に本実施例の作用を説明する。
はじめに正常時のコインCの払出を説明する。
コインCは、回転ディスク4の図2における時計方向の回転によって、第一押出突起34の第一押出面34A及び第一噛込防止片42の第一前面42Aによって押され、ベース3の底部11上を滑って回転ディスク4と共に回動する。
【００４５】
このプロセスにおいて、コインCは第一押出面34A又は第一前面42Aによって押され、第一押出突起34の弧状部及び第一噛込防止片42の弧状部42Cによって押されることがない。
したがって、コインCの移動抵抗が大きい場合であっても、第一押出突起34及び第一噛込防止片42はコインCから大きな押上げ力を受けない。
すなわち、コインCが噛み込まれることはない。
【００４６】
この回転の途上、コインCは第一規制ピン31にその移動を阻止されて開口10方向に案内される。
次にコインCは、第二規制ピン32によって開口10側に案内され、移動ローラ30を押動する。
この途上において、第二押出突起35の第二押出面35AがコインCを押すようになる。
【００４７】
この状況において、コインCは上方動の規制を受けないので、移動ローラ30に接触した先端部が上方に移動し易く、全体として傾くため、第二押出突起35の弧状部と接し易くなり、ベース3と第二押出突起35の下面との間に噛み込まれ易い。しかし、このケースにおいても、コインCは第二噛込防止片43の第二前面43Aによって押されるから、コインCが噛みこまれることがない。
【００４８】
したがって、噛込防止片は、少なくとも移動ローラ30にコインCが接触している状態においてコインCを押している押出突起に設ければよい。
すなわち、本実施例においては、少なくとも第二噛込防止片43を設ければよい。
【００４９】
次に、回転ディスク4或いはベース3が一時的に変形し、第一押出突起34及び／又は第二押出突起35の下面と底部11との間隔がコインCの厚みよりも大きくなったケースを説明する。
この場合、コインCは、第一押出面34A及び／又は第二押出面35Aにより押されない。
【００５０】
しかし、コインCは、それらから下方に延びる第一噛込防止片42及び／又は第二噛込防止片43の第一前面42A及び／または第二前面43Aによって押される。
そして、前述同様コインCは第一規制ピン31及び第二規制ピン32によって開口10に向けてガイドされて、払い出される。
【００５１】
【図面の簡単な説明】
【図１】図１は、本発明の実施例のホッパーの斜視図である。
【図２】図２は、本発明の実施例のホッパボウルを取り除いた状態のベースと回転ディスクの平面図である。
【図３】図３は、本発明の実施例の図２におけるＡ―Ａ断面図である。
【図４】図４は、本発明の実施例の噛込防止片と円形溝との関係説明図である。
【図５】図５は、本発明の実施例の作用説明斜視図である。
【図６】図６は、本発明の実施例の作用説明図である。
【図７】図７は、従来装置の作用説明図である。
【符号の説明】
C        コイン
D1,D2    間隔
3      ベース
4        回転ディスク
13      通孔
34,35    押出突起
34A,35A  押出面
42,43    噛込防止片
42A,43A  前面
44,45    円形溝
44B,45B  底
【図１】
2004213206.tif 000003
【図２】
2004213206.tif 000004
【図３】
2004213206.tif 000005
【図４】
2004213206.tif 000006
【図５】
2004213206.tif 000007
【図６】
2004213206.tif 000008
【図７】
2004213206.tif 000009